(57)【要約】【課題】装置コストを高くすることなく、暗黒始動性の悪いランプを点灯させることができる画像読取装置及び画像読取装置の制御方法を提供する。【解決手段】反射原稿の原稿面に光を照射する光源となる反射原稿用ランプと、反射原稿用ランプ、及び光を検知して電気信号に変換するイメージセンサが搭載されて副走査方向に往復移動するキャリッジと、発光して装置状態を示すインジケータランプと、反射原稿用ランプが点灯するか否かをイメージセンサを用いて判定する判定部とを備え、判定部によって反射原稿用ランプが点灯しないと判定されたときに、キャリッジを所定位置に移動させてインジケータランプの光を反射原稿用ランプに照射させる。【選択図】図２
2008072458.tif 000002
【特許請求の範囲】
【請求項１】
反射原稿の原稿面に光を照射する光源となる反射原稿用ランプと、
前記反射原稿用ランプ、及び光を検知して電気信号に変換するイメージセンサが搭載されて副走査方向に往復移動するキャリッジと、
発光して装置状態を示すインジケータランプと、
前記反射原稿用ランプが点灯するか否かを前記イメージセンサを用いて判定する判定部と、
前記反射原稿用ランプの点灯及び消灯、前記インジケータランプの点灯及び消灯、並びに前記キャリッジの移動を制御する制御部とを備え、
前記制御部は、前記判定部によって前記反射原稿用ランプが点灯しないと判定されたときに、前記キャリッジを所定位置に移動させて前記インジケータランプの光を前記反射原稿用ランプに照射させることを特徴とする画像読取装置。
【請求項２】
電源が投入された際、前記制御部は、前記キャリッジを白基準の読み取り位置に設定し、前記判定部は、当該白基準の読み取り位置において前記反射原稿用ランプが点灯するか否かを判定することを特徴とする請求項１に記載の画像読取装置。
【請求項３】
前記白基準の読み取り位置は、前記キャリッジのホームポジションであることを特徴とする請求項２に記載の画像読取装置。
【請求項４】
前記判定部は、前記インジケータランプの光が前記反射原稿用ランプを照射した状態で前記反射原稿用ランプが点灯するか否かを判定することを特徴とする請求項１から３のいずれか一項に記載の画像読取装置。
【請求項５】
前記判定部によって、前記インジケータランプの光が前記反射原稿用ランプを照射した状態で前記反射原稿用ランプが点灯するか否かが判定された結果、前記反射原稿用ランプが点灯しないと判定された場合に、前記制御部は前記キャリッジを白基準の読み取り位置に移動して、前記判定部は当該白基準の読み取り位置において前記反射原稿用ランプが点灯するか否かを判定することを特徴とする請求項４に記載の画像読取装置。
【請求項６】
前記インジケータランプは、発光ダイオードであることを特徴とする請求項１から５のいずれか一項に記載の画像読取装置。
【請求項７】
反射原稿の原稿面に光を照射する光源となる反射原稿用ランプが点灯するか否かを、光を検知して電気信号に変換するイメージセンサを用いて判定する判定工程と、
前記反射原稿用ランプの点灯及び消灯、発光して装置状態を示すインジケータランプの点灯及び消灯、並びに前記反射原稿用ランプ及び前記イメージセンサが搭載されて副走査方向に往復移動するキャリッジの移動を制御する制御工程とを備え、
前記制御工程は、前記判定工程によって前記反射原稿用ランプが点灯しないと判定されたときに、前記キャリッジを所定位置に移動させて前記インジケータランプの光を前記反射原稿用ランプに照射させることを特徴とする画像読取装置の制御方法。
【発明の詳細な説明】
【技術分野】
【０００１】
本発明は、画像読取装置及び当該画像読取装置の制御方法に関する。
【背景技術】
【０００２】
画像読取装置には、反射原稿用ランプを備えて原稿や写真などの反射原稿を読み取るものが知られており、この反射原稿用ランプには、白色冷陰極蛍光ランプ（以下、ＣＣＦＬと略称する。）が利用されることが多い。しかし、ＣＣＦＬは、光が遮断されている暗黒環境に長時間おかれた場合、点灯の際に必要な放電のきっかけとなるランプ管内の初期電子が減少する。このため、電圧を印加して始動してから実際に点灯するまでの始動時間が長くなる問題、所謂「暗黒始動性」が悪いという問題を有している。
【０００３】
上記の問題を解決する方法として、例えば、以下の特許文献１に記載されているように、補助光源を用いる方法が知られている。特許文献１では、白熱電球や発光ダイオードなどの補助光源を設置し、放電ランプの始動時に補助光源の光をランプに照射することで、ランプの初期電子を増加させて始動時間を短縮している。
【０００４】
【特許文献１】特開平１−１３０４６２号公報
【発明の開示】
【発明が解決しようとする課題】
【０００５】
しかしながら、上記した補助光源を用いる方法では、ランプに光を照射するための補助光源を新たに設置する必要があり、そのために、補助光源の設置に伴う様々なコストが掛かってしまう問題がある。
【０００６】
本発明の目的は、装置コストを高くすることなく、暗黒始動性の悪いランプを点灯させることができる画像読取装置及び画像読取装置の制御方法を提供することにある。
【課題を解決するための手段】
【０００７】
本発明に係る画像読取装置は、反射原稿の原稿面に光を照射する光源となる反射原稿用ランプと、前記反射原稿用ランプ、及び光を検知して電気信号に変換するイメージセンサが搭載されて副走査方向に往復移動するキャリッジと、発光して装置状態を示すインジケータランプと、前記反射原稿用ランプが点灯するか否かを前記イメージセンサを用いて判定する判定部と、前記反射原稿用ランプの点灯及び消灯、前記インジケータランプの点灯及び消灯、並びに前記キャリッジの移動を制御する制御部とを備え、前記制御部は、前記判定部によって前記反射原稿用ランプが点灯しないと判定されたときに、前記キャリッジを所定位置に移動させて前記インジケータランプの光を前記反射原稿用ランプに照射させることを特徴とする。
【０００８】
本発明に係る画像読取装置によれば、判定部がイメージセンサを用いて反射原稿用ランプが点灯するか否かを判定し、点灯しないと判定されたときに、制御部がキャリッジを所定位置に移動させてインジケータランプの光を反射原稿用ランプに照射させる。反射原稿用ランプにインジケータランプの光が照射されることから、点灯の際に必要な放電のきっかけとなるランプ管内の初期電子が増加し、暗黒始動性の悪い反射原稿用ランプを点灯させることができる。また、一般的な画像読取装置に装備されている装置状態を示す目的のインジケータランプを、反射原稿用ランプに照射する補助光源として兼用することから、新たに補助光源を設置する必要がなく、装置コストを高くせずに、暗黒始動性の悪いランプを点灯させることができる。
【０００９】
上記した本発明に係る画像読取装置では、電源が投入された際、前記制御部は、前記キャリッジを白基準の読み取り位置に設定し、前記判定部は、当該白基準の読み取り位置において前記反射原稿用ランプが点灯するか否かを判定することを特徴とする。
【００１０】
上記した本発明に係る画像読取装置では、前記白基準の読み取り位置は、前記キャリッジのホームポジションであることを特徴とする。
【００１１】
上記した本発明に係る画像読取装置では、前記判定部は、前記インジケータランプの光が前記反射原稿用ランプを照射した状態で前記反射原稿用ランプが点灯するか否かを判定することを特徴とする。
【００１２】
上記した本発明に係る画像読取装置では、前記判定部によって、前記インジケータランプの光が前記反射原稿用ランプを照射した状態で前記反射原稿用ランプが点灯するか否かが判定された結果、前記反射原稿用ランプが点灯しないと判定された場合に、前記制御部は前記キャリッジを白基準の読み取り位置に移動して、前記判定部は当該白基準の読み取り位置において前記反射原稿用ランプが点灯するか否かを判定することを特徴とする。
【００１３】
上記した本発明に係る画像読取装置では、前記インジケータランプは、発光ダイオードであることを特徴とする。
【００１４】
本発明に係る画像読取装置の制御方法は、反射原稿の原稿面に光を照射する光源となる反射原稿用ランプが点灯するか否かを、光を検知して電気信号に変換するイメージセンサを用いて判定する判定工程と、前記反射原稿用ランプの点灯及び消灯、発光して装置状態を示すインジケータランプの点灯及び消灯、並びに前記反射原稿用ランプ及び前記イメージセンサが搭載されて副走査方向に往復移動するキャリッジの移動を制御する制御工程とを備え、前記制御工程は、前記判定工程によって前記反射原稿用ランプが点灯しないと判定されたときに、前記キャリッジを所定位置に移動させて前記インジケータランプの光を前記反射原稿用ランプに照射させることを特徴とする画像読取装置の制御方法。
【発明を実施するための最良の形態】
【００１５】
以下、本発明に係る画像読取装置の実施形態について図面を参照して説明する。
【００１６】
＜イメージスキャナの概略構成＞
先ず、本発明の一実施形態が適用された画像読取装置の概略構成について、図１及び図２を用いて説明する。
【００１７】
図１は、本発明の実施形態の画像読取装置としてのイメージスキャナを正面から見たときの内部構造を示す模式図である。図２は、本発明の実施形態のイメージスキャナを側面から見たときの内部構造を示す模式図である。なお、本実施形態は、プラテン１０に載置された原稿１０００を読み取るフラットベット型のイメージスキャナ１を例にする。原稿１０００は、文書、写真、書籍等の反射原稿、或いは３５ｍｍストリップフィルム、３５ｍｍマウントフィルム、ブローニフィルム等の透過原稿である。
【００１８】
イメージスキャナ１は、原稿カバー１１と、原稿１０００を搭載するためのプラテン１０を備えたハウジング１３とを有する。そして、原稿カバー１１は、図２に示すヒンジ１２により、プラテン１０の原稿搭載面１０ａを開放する姿勢と原稿搭載面１０ａを覆う姿勢とに揺動可能な状態でハウジング１３に連結されている。なお、図１及び図２に示す原稿カバー１１は、原稿搭載面１０ａを覆う姿勢を示している。
【００１９】
ハウジング１３には、画像補正（シェーディング補正）に利用する白基準板２０００が設けられている。白基準板２０００が設置される位置について特に限定しないが、本実施形態では、プラテン１０の一方の端部に設けられているものとする。
【００２０】
また、ハウジング１３には、原稿搭載面１０ａに平行なガイドロッド１８と、ガイドロッド１８に摺動自在に嵌合しているキャリッジ１７とが収納されている。キャリッジ１７には、反射原稿用ランプ１９、ミラー２０、レンズ２１、及びイメージセンサ２２が搭載されている。キャリッジ１７は、キャリッジ搬送用モータ１０２（図３参照）により駆動されるプーリー（図示しない）に掛けられたベルト（図示しない）により牽引され、原稿搭載面１０ａと平行なＸ方向（副走査方向）に往復移動する。
【００２１】
反射原稿用ランプ１９は、ＣＣＦＬである。ミラー２０及びレンズ２１は、反射原稿用ランプ１９に照射された反射原稿の反射光及び透過原稿用ランプ１６に照射された透過原稿の透過光をイメージセンサ２２の受光面に入射させる。反射原稿用ランプ１９、ミラー２０、レンズ２１、及びイメージセンサ２２がキャリッジ１７によりＸ方向に搬送されると、原稿１０００上の主走査線が移動する。
【００２２】
イメージセンサ２２は、受光した光を電気信号（画像信号）に光電変換し、変換した画像信号をアナログフロントエンド（以下、ＡＦＥと略称する。）部１０７（図３参照）に出力する。例えば、イメージセンサ２２には、フォトダイオード等により構成されるセル（図示しない）が直線的に多数配列されたリニアイメージセンサを用いることができる。イメージセンサ２２は、多数のセルが管状の反射原稿用ランプ１９の中心軸線と平行に並ぶ姿勢でキャリッジ１７に搭載されている。イメージセンサ２２の各セルには受光量に応じた電荷が光電変換により蓄積される。各画素に蓄積された電荷は、ＣＣＤ（Charge Coupled Devices）によりイメージセンサ２２の出力部に転送される。この電荷転送は、ＣＭＯＳ（Complementary Metal Oxide Semiconductor）により行われてもよい。
【００２３】
原稿カバー１１には、面光源部１４が設けられている。面光源部１４は、透過原稿用ランプ１６と、拡散板（図示しない）とを有する。透過原稿用ランプ１６は、ＣＣＦＬであり、その長手方向がガイドロッド１８の中心軸と平行に配置されている。面光源部１４は、透過原稿を画一的な照度で照明する。なお、面光源部１４は、反射原稿を読み取る際には、白色の原稿マット３４で覆われる。
【００２４】
また、図２に示すように、ハウジング１３の正面側には、インジケータランプとしての発光ダイオード（以下、ＬＥＤと略称する。）４０が設けられている。ＬＥＤ４０を点灯させてインジケータレンズ４１を介して外部へ発光することによって、イメージスキャナ１が、例えば、ウォームアップ状態であるとか、待機状態であるとか、エラー状態であるとかの装置状態をユーザに示す。さらに、ＬＥＤ４０は、暗黒始動性の悪い反射原稿用ランプ１９を照射するための補助光源としての役割も兼用する。
なお、本実施形態では、赤色と緑色との２つのＬＥＤが設けられており、反射原稿用ランプ１９を照射する際には両方のＬＥＤを点灯させるが、ハウジング１３に設けるＬＥＤの色及び個数、並びに反射原稿用ランプ１９を照射するＬＥＤはこれに限定されない。
【００２５】
＜イメージスキャナのハードウェア構成＞
次に、イメージスキャナ１のハードウェア構成について説明する。
【００２６】
図３は、本施形態のイメージスキャナのハードウェアの主要構成を示すブロック図である。同図に示すように、イメージスキャナ１は、透過原稿用ランプコントローラ１００、反射原稿用ランプコントローラ１０１、キャリッジ搬送用モータ１０２、キャリッジコントローラ１０３、イメージセンサコントローラ１０４、ＬＥＤコントローラ１１２、ＣＰＵ（Central Processing Unit）１０５、ＲＯＭ（Read Only Memory）１０６、ＡＦＥ（アナログフロントエンド）部１０７、画像処理部１０８、ＲＡＭ（Random Access Memory）コントローラ１０９、ＲＡＭ（Random Access Memory）１１０及び外部インタフェースコンローラ１１１を備えている。
【００２７】
ＣＰＵ１０５は、ＲＯＭ１０６に記憶されている各種プログラムをＲＡＭ１１０にロードして実行することにより、イメージスキャナ１全体の動作を制御する制御部として機能する。
【００２８】
ＲＡＭコントローラ１０９は、ＣＰＵ１０５、ＲＡＭ１１０、画像処理部１０８及び外部インタフェースコントローラ１１１との間で行われるデータ転送を制御する。
【００２９】
透過原稿用ランプコントローラ１００は、透過原稿用ランプ１６の点灯及び消灯を制御する。具体的には、透過原稿用ランプコントローラ１００は、図示しないインバータ回路及び制御回路等を備え、ＣＰＵ１０５からの指示にしたがい、透過原稿用ランプ１６の点灯及び消灯を制御する。
【００３０】
反射原稿用ランプコントローラ１０１は、反射原稿用ランプ１９の点灯及び消灯を制御する。具体的には、反射原稿用ランプコントローラ１０１は、図示しないインバータ回路及び制御回路等を備え、ＣＰＵ１０５からの指示にしたがい、反射原稿用ランプ１９の点灯、消灯を制御する。
【００３１】
イメージセンサコントローラ１０４は、ＣＰＵ１０５からの指示にしたがいイメージセンサ２２の駆動を制御する。具体的には、イメージセンサコントローラ１０４は、イメージセンサ２２の駆動に必要な駆動パルスをイメージセンサ２２に出力する駆動回路である。イメージセンサコントローラ１０４には、例えば同期信号発生器、駆動用タイミングジェネレータなどから構成される。
【００３２】
キャリッジコントローラ１０３は、ＣＰＵ１０５からの指示にしたがいキャリッジ搬送用モータ１０２の駆動を制御してキャリッジ１７を往復移動させる。具体的には、キャリッジ搬送用モータ駆動回路、制御回路などから構成される。そして、キャリッジコントローラ１０３は、ＣＰＵ１０５からの制御信号にしたがい、キャリッジ搬送用モータ１０２の回転方向、回転測度を制御する。
【００３３】
ＬＥＤコントローラ１１２は、ＬＥＤ４０の点灯、消灯、及び点灯と消灯とを繰り返す点滅を制御する。具体的には、ＬＥＤコントローラ１１２は、図示しないインバータ回路及び制御回路等を備え、ＣＰＵ１０５からの指示にしたがい、ＬＥＤ４０の点灯、消灯及び点滅を制御する。
【００３４】
ＡＦＥ部１０７は、イメージセンサ２２からの画像情報を受付ける。ＡＦＥ部１０７は、受付けた画像情報に対してＣＤＳ（Correlated Double Sampling）処理、画像の黒レベルを再現するためのオプティカル・ブラック・クランプ制御、画像の電気信号のゲイン調整による電気信号のレベル調整処理、及び量子化処理などを行ってデジタル化された画像情報（スキャン画像）を画像処理部１０８に出力する。
【００３５】
画像処理部１０８は、ＡＦＥ部１０７からの画像情報に画像処理を行うＤＳＰ（Digital Signal Processor）である。具体的には、画像処理部１０８は、ＣＰＵ１０５と協働し、ＡＦＥ部１０７から受付けた画像情報に対してガンマ補正、シェーディング補正などの画像処理を行う。
【００３６】
外部インタフェースコントローラ１１１は、イメージスキャナ１と外部の装置（例えば、イメージスキャナ１に接続されたＰＣ）との間で行うデータの授受を制御する。
【００３７】
＜点灯補助処理の動作＞
次に、ＬＥＤ４０が反射原稿用ランプ１９の点灯を補助する点灯補助処理について説明する。
図６は、反射原稿用ランプの点灯補助処理の動作を示すフローチャートである。本実施形態では、ＣＰＵ１０５は、イメージスキャナ１の電源が投入された際に、本フローチャートの処理を開始する。
【００３８】
電源が投入された際、ＣＰＵ１０５は、キャリッジ１７をホームポジションに位置させる。図４は、キャリッジがホームポジションに位置しているときのイメージスキャナの内部構造を示す模式図である。同図に示すように、キャリッジ１７がホームポジションに位置している場合、反射原稿用ランプ１９から照射された光は、白基準板２０００で反射されて、その反射光はイメージセンサ２２の受光面に入射して検知される。即ち、キャリッジ１７のホームポジションは、白基準板２０００からの反射光をイメージセンサ２２が検知できる白基準の読み取り位置に設定されている。
【００３９】
先ず、ステップＳ１１０では、ＣＰＵ１０５は、反射原稿用ランプ１９を点灯させるために、反射原稿用ランプ１９のスイッチをＯＮにして所定の電圧を印加する。
ここで、反射原稿用ランプ１９が、長時間、暗黒状態にある場合、反射原稿用ランプ１９に所定の電圧を印加しても点灯しないことがある。
【００４０】
ステップＳ１２０では、ＣＰＵ１０５は、ステップＳ１１０においてスイッチをＯＮにした結果、反射原稿用ランプ１９が点灯しているか否かの判定を行う。
反射原稿用ランプ１９が点灯している場合は、本フローチャートが示す点灯補助処理を終了する。
他方、反射原稿用ランプ１９が点灯していない場合は、ステップＳ１３０へ進み規定時間（本実施形態では、キャリッジ１７がホームポジションに位置してから５秒以上）が経過したか否かを判定し、規定時間が経過していない場合は、ステップＳ１２０における点灯しているか否かの判定処理を繰り返す。規定時間が経過した場合は、規定時間待機しても点灯しないためステップＳ１４０へ進む。
【００４１】
ここでは、反射原稿用ランプ１９が点灯しているか否かの判定は、白基準板２０００からの反射光をイメージセンサ２２が検知することによって行う。具体的には、イメージセンサ２２は、検知した反射光を電気信号に光電変換し、変換した電気信号をＡＦＥ部１０７に出力する。ＣＰＵ１０５は、ＡＦＥ部１０７を介して取得したデータが所定値以上であれば点灯していると判定し、所定値に満たなければ点灯していないと判定する判定部として機能する。
【００４２】
ステップＳ１４０では、ＣＰＵ１０５は、ＬＥＤ４０を点灯させる。ＬＥＤ４０は、暗黒環境に放置されていても始動時間が長くなることはないので、即時に点灯する。
【００４３】
ステップＳ１５０では、ＣＰＵ１０５は、キャリッジ１７をＬＥＤ４０の位置まで移動させる。これにより、キャリッジ１７に搭載されている反射原稿用ランプ１９の一方の端部が、ＬＥＤ４０からの光によって照射されることになる。なお、ここで、ステップＳ１４０とステップＳ１５０との処理順番を入れ替えても良い。即ち、ステップＳ１５０においてキャリッジ１７をＬＥＤ４０の位置まで移動させた後に、ステップＳ１４０におけるＬＥＤ４０の点灯処理を行っても良い。
図５は、キャリッジがＬＥＤの位置にあるときのイメージスキャナの内部構造を示す模式図である。同図に示すように、キャリッジ１７は、反射原稿用ランプ１９とＬＥＤ４０とのＸ方向の位置が同位置に並ぶように移動する。また、図２には、キャリッジ１７がＬＥＤ４０の位置にある場合に、ＬＥＤ４０からの光が反射原稿用ランプ１９の一方の端部を照射する光路が記してある。同図に示すように、ＬＥＤ４０からの光がハウジング１３の上部の内側壁面で反射して、その反射光が反射原稿用ランプ１９の一方の端部を照射している。
【００４４】
ステップＳ１６０では、ＣＰＵ１０５は、これまで点灯していなかった反射原稿用ランプ１９が点灯しているか否かの判定を行う。
反射原稿用ランプ１９が点灯している場合は、本フローチャートが示す点灯補助処理を終了する。
他方、反射原稿用ランプ１９が点灯していない場合は、ステップＳ１７０へ進み規定時間（本実施形態では、キャリッジ１７がホームポジションに位置してから６０秒以上）が経過したか否かを判定し、規定時間が経過していない場合は、ステップＳ１６０における点灯しているか否かの判定処理を繰り返す。規定時間が経過した場合は、ＬＥＤ４０による点灯補助によっても点灯しないと判断してステップＳ１８０へ進む。
【００４５】
ここでは、反射原稿用ランプ１９が点灯しているか否かの判定は、スキャナの通常読取範囲外であるケースの内側からの反射光をイメージセンサ２２が検知することによって行う。これは、原稿カバー１１の開閉あるいは載置された原稿の色にかかわらず安定した判定を実施するためである。
【００４６】
ステップＳ１８０では、ＣＰＵ１０５は、キャリッジ１７を、最初に位置していたホームポジションの位置に移動させる。これにより、イメージセンサ２２は、再び、白基準板２０００からの反射光を検知できる位置に設定される。
【００４７】
ステップＳ１９０では、ＣＰＵ１０５は、ステップＳ１８０において移動したホームポジションの位置で、反射原稿用ランプ１９が点灯しているか否かの判定を行う。
反射原稿用ランプ１９が点灯している場合は、本フローチャートが示す点灯補助処理を終了する。
他方、反射原稿用ランプ１９が点灯していない場合は、ステップＳ２００へ進み、反射原稿用ランプ１９が点灯エラーである旨をユーザに知らせる。
【００４８】
ここでは、反射原稿用ランプ１９が点灯しているか否かの判定は、白基準板２０００からの反射光をイメージセンサ２２が検知することによって行う。
【００４９】
なお、本発明の判定工程は、上記ステップＳ１２０、Ｓ１６０及びＳ１９０に相当する。また、本発明の制御工程は、上記ステップＳ１１０、Ｓ１４０、Ｓ１５０及びＳ１８０に相当する。
【００５０】
上述したように、本実施形態に係るイメージスキャナ１では、電源が投入された際、反射原稿用ランプ１９のスイッチをＯＮにしても点灯しない場合、ＬＥＤ４０を点灯させて、キャリッジ１７をＬＥＤ４０の位置まで移動させている。これにより、キャリッジ１７に搭載されている反射原稿用ランプ１９の一方の端部が、ＬＥＤ４０からの光によって照射されることになる。この照射によって、点灯の際に必要な放電のきっかけとなる初期電子が増加し、暗黒始動性の悪い反射原稿用ランプ１９を点灯させることができる。即ち、反射原稿用ランプ１９が暗黒状態に長時間置かれているような場合でも、ＬＥＤ４０の光を利用することでイメージスキャナ１の暗黒始動性の悪化を防止できる。
【００５１】
また、ＬＥＤ４０は、暗黒始動性の問題を有さないことから、イメージスキャナ１が暗黒環境に放置されている状況でも即時に点灯し、反射原稿用ランプ１９に確実に光を照射して暗黒始動性の悪化を防止できる。
【００５２】
さらに、ＬＥＤ４０は、インジケータランプとしてイメージスキャナ１の装置状態をユーザに示すためのものであり、一般のイメージスキャナに装備されている。このＬＥＤ４０を、暗黒始動性の悪い反射原稿用ランプ１９を照射する補助光源として兼用することから、装置コストを高くしないで暗黒始動性の悪化の防止を実現できる。
【００５３】
また、電源が投入された際、白基準板２０００からの反射光をイメージセンサ２２が検知できる位置に設定して反射原稿用ランプ１９が点灯しているか否かの判定を行っている。これにより、反射原稿用ランプ１９が点灯しているか否かを高精度に判定することができる。
【００５４】
また、キャリッジ１７を移動して反射原稿用ランプ１９がＬＥＤ４０からの光によって照射される状態において、反射原稿用ランプ１９が点灯しているか否かの判定を行っている。これにより、反射原稿用ランプ１９がＬＥＤ４０からの光の照射によって点灯したときに、直ちに点灯したと判定することができ、時間の無駄をなくすことができる。
【００５５】
また、反射原稿用ランプ１９がＬＥＤ４０からの光によって照射される状態において反射原稿用ランプ１９が点灯しているか否かの判定を行った結果、規定時間が経過しても点灯しないと判定された場合、キャリッジ１７をホームポジションの位置に復帰して白基準板２０００からの反射光に基づいて点灯しているか否かの判定を行っている。これにより、反射原稿用ランプ１９が点灯しているか否かを正確に判定することができる。
【００５６】
（変形例１）
上記した実施形態では、画像読取装置としてイメージスキャナを例にして説明したが、イメージスキャナに限られず、例えば、複写機や画像読取機能を備えた複合機などであっても良い。特に複合機の場合、原稿カバーが長時間にわたり閉じられた状態になることが多いことから、反射原稿用ランプが長時間にわたり暗黒状態に置かれる可能性が高くなる。このため、複合機の場合に、本実施形態における暗黒始動性の悪化の防止方法が特に有効となる。
【００５７】
（変形例２）
上記した実施形態では、補助光源となるインジケータランプとしてＬＥＤを利用したが、これに限られず、例えば、補助光源は白熱電球などであっても良い。
【００５８】
（変形例３）
上記した実施形態では、電源投入された際に、図６に示すフローチャートの各処理を行うようにしているが、特にこれに限定するものではない。例えば、利用者から点灯補助処理の指示を受付けられるようにしておいて、その指示を受付けた場合にだけ、同図に示すフローチャートの各処理を行うようにしてもよい。また、利用者から反射原稿の読み取り処理の要求を受付けた場合に、同図に示すフローチャートの各処理を行うようにしてもよい。
【図面の簡単な説明】
【００５９】
【図１】本発明の実施形態の画像読取装置としてのイメージスキャナを正面から見たときの内部構造を示す模式図。
【図２】本発明の実施形態のイメージスキャナを側面から見たときの内部構造を示す模式図。
【図３】本施形態のイメージスキャナのハードウェアの主要構成を示すブロック図。
【図４】キャリッジがホームポジションに位置しているときのイメージスキャナの内部構造を示す模式図。
【図５】キャリッジがＬＥＤの位置にあるときのイメージスキャナの内部構造を示す模式図。
【図６】反射原稿用ランプの点灯補助処理の動作を示すフローチャート。
【符号の説明】
【００６０】
１…イメージスキャナ、１０…プラテン、１０ａ…原稿搭載面、１１…原稿カバー、１２…ヒンジ、１３…ハウジング、１４…面光源部、１６…透過原稿用ランプ、１７…キャリッジ、１８…ガイドロッド、１９…反射原稿用ランプ、２０…ミラー、２１…レンズ、２２…イメージセンサ、３４…原稿マット、４０…ＬＥＤ、４１…インジケータレンズ、１００…透過原稿用ランプコントローラ、１０１…反射原稿用ランプコントローラ、１０２…キャリッジ搬送用モータ、１０３…キャリッジコントローラ、１０４…イメージセンサコントローラ、１０５…ＣＰＵ、１０６…ＲＯＭ、１０７…ＡＦＥ部、１０８…画像処理部、１０９…ＲＡＭコントローラ、１１０…ＲＡＭ、１１１…外部インタフェースコンローラ、１１２…ＬＥＤコントローラ、１０００…原稿、２０００…白基準板。
【図１】
2008072458.tif 000003
【図２】
2008072458.tif 000004
【図３】
2008072458.tif 000005
【図４】
2008072458.tif 000006
【図５】
2008072458.tif 000007
【図６】
2008072458.tif 000008